(57)【特許請求の範囲】
【請求項１】
箱状の紙器本体と、その紙器本体に開口形成される開口部と、その開口部を挟んで互いに対向する前記紙器本体の第１及び第２壁板と、その第１壁板に第１折れ線を介して開閉自在に連設され前記開口部を閉塞する内蓋板と、その内蓋板の外面に重畳接合されて前記開口部を閉塞するために前記第２壁板に第２折れ線を介して開閉自在に連設される外蓋板とを備えている紙器において、
前記第１壁板の一部として前記内蓋板に隣接して設けられ、前記第１折れ線上の離間した２点を結ぶ分離線を介して、前記第１壁板から分離可能に形成される押込み領域部と、
前記内蓋板の一部として前記押込み領域部に隣接して設けられ、前記第１折れ線上の前記２点からそれぞれ前記内蓋板の反第１折れ線側の先端縁まで間隔を空けて更に延設される前記分離線を介して、前記内蓋板から分離可能に形成される分離領域部とを備えており、
前記分離線には紙厚方向に貫通する複数の切れ目が被断部と交互配設され、その複数の切れ目には２本の分離促進切れ目が含まれており、
その２本の各分離促進切れ目は、前記押込み領域部の先端稜線上の始点から当該押込み領域部の先端稜線及び両側稜線に沿って延設され前記第１折れ線上の前記２点を越えて前記分離領域部の両側稜線上の終点まで達することを特徴とする紙器。
【請求項２】
前記２本の分離促進切れ目の始点は、前記押込み領域部の先端稜線上であって当該先端稜線の両端より内方に位置する２点に各々達していることを特徴とする請求項１記載の紙器。
【請求項３】
前記分離線には、前記押込み領域部の先端稜線に沿って前記２本の分離促進切れ目の始点間に設けられる分離惹起線と、前記２本の分離促進切れ目の終点に各々接続され前記分離領域部の両側稜線に沿って前記内蓋板の反第１折れ線側の先端縁まで設けられる２本の分離末端線とが備えられており、
その分離末端線及び分離惹起線は、前記切れ目を破線状に複数配設したミシン目により形成されることを特徴とする請求項１又は２に記載の紙器。
【請求項４】
請求項３記載の紙器において、
前記分離惹起線に代えて、１つの被断部により、又は、２つの被断部とその間にある１つの切れ目により形成される分離惹起線と、
前記分離末端線に代えて、１つの被断部により、又は、２つの被断部とその間にある１つの切れ目により形成される分離末端線とを備えていることを特徴とする紙器。
【請求項５】
前記分離惹起線の前記切れ目は、前記分離末端線の前記切れ目より長く形成されていることを特徴とする請求項３又は４に記載の紙器。
【請求項６】
請求項１から５のいずれかに記載の紙器を組み立て形成するために用いられる紙器ブランク。
【発明の詳細な説明】
【技術分野】
【０００１】
本発明は、箱状の紙器、及び、その組み立てに用いられる紙器ブランクに関するものである。
【背景技術】
【０００２】
紙製のブランクから組み立てられる紙器には、その開封が容易なものとして、例えば、特許文献１に記載されるシールドエンドカートン（以下この欄において単に「紙器」という。）がある。この特許文献１記載の紙器には、その開封時に操作される摘み部が、後板に摘み部切れ目線で象られて設けられており、その摘み部切れ目線の両端から天下板を横断する方向に開封切れ目線もそれぞれ連続延設されている。
【０００３】
この紙器によれば、それを開封する場合に、まず、摘み部が指で軽く押圧されることで、摘み部切れ目線が破れて、摘み部が開封される。その後、この摘み部と一緒に、天下板及びその上に重なる天板を摘んで、これらを引き上げることにより、天下板にある開封切れ目線が引き裂かれ、天下板からその一部が分離されて、紙器が開封される。
【先行技術文献】
【特許文献】
【０００４】
【特許文献１】特開２００５−２０６１６８
【発明の概要】
【発明が解決しようとする課題】
【０００５】
しかしながら、上記した特許文献１の紙器は、後板と天下板との連設部分が直角折曲された角部となっているため、かかる角部の剛性が大きく、かかる角部近傍で摘み部切れ目が破断し難くなる。このため、摘み部を押し込んでも、上記した角部近傍で摘み部切れ目線の破断の進展が中断されてしまうという問題点があった。
【０００６】
しかも、このように摘み部切れ目線の破断が途中で途切れると、摘み部切れ目線から開封切れ目線への破断の進展をスムーズに伝播させることができないため、かかる状態で無理矢理、摘み部を天板及び天下板と一緒に引き上げてしまうと、例えば、開封切れ目線とは異なる部分で天下板が裂けたり、未開封のまま摘み部が天下板からちぎれ取れたり、その他の予期せぬ不都合が生じて、紙器を最後までスムーズに開封できないという問題点があった。
【０００７】
そこで、本願発明は、上述した問題点を解決するためになされたものであり、押込み領域部及び分離領域部が分離線に沿って分離される場合、その分離線の被断部の破断を、押込み領域部側から紙器の角部を越えて分離領域部側までスムーズに進展させることができる紙器及び紙器ブランクを提供することを目的としている。
【課題を解決するための手段】
【０００８】
この目的を達成するために請求項１の紙器は、箱状の紙器本体と、その紙器本体に開口形成される開口部と、その開口部を挟んで互いに対向する前記紙器本体の第１及び第２壁板と、その第１壁板に第１折れ線を介して開閉自在に連設され前記開口部を閉塞する内蓋板と、その内蓋板の外面に重畳接合されて前記開口部を閉塞するために前記第２壁板に第２折れ線を介して開閉自在に連設される外蓋板とを備えており、更に、前記第１壁板の一部として前記内蓋板に隣接して設けられ、前記第１折れ線上の離間した２点を結ぶ分離線を介して、前記第１壁板から分離可能に形成される押込み領域部と、前記内蓋板の一部として前記押込み領域部に隣接して設けられ、前記第１折れ線上の前記２点からそれぞれ前記内蓋板の反第１折れ線側の先端縁まで間隔を空けて更に延設される前記分離線を介して、前記内蓋板から分離可能に形成される分離領域部とを備えており、前記分離線には紙厚方向に貫通する複数の切れ目が被断部と交互配設され、その複数の切れ目には２本の分離促進切れ目が含まれており、その２本の分離促進切れ目は、前記押込み領域部の先端稜線上の始点から当該押込み領域部の先端稜線及び両側稜線に沿って延設され前記第１折れ線上の前記２点を越えて前記分離領域部の両側稜線上の終点まで達するものである。
【０００９】
請求項２の紙器は、請求項１の紙器において、前記２本の分離促進切れ目の始点は、前記押込み領域部の先端稜線上であって当該先端稜線の両端より内方に位置する２点に各々達している。
【００１０】
請求項３の紙器は、請求項１又は２の紙器において、前記分離線には、前記押込み領域部の先端稜線に沿って前記２本の分離促進切れ目の始点間に設けられる分離惹起線と、前記２本の分離促進切れ目の終点に各々接続され前記分離領域部の両側稜線に沿って前記内蓋板の反第１折れ線側の先端縁まで設けられる２本の分離末端線とが備えられており、その分離末端線及び分離惹起線は、前記切れ目を破線状に複数配設したミシン目により形成されるものである。
【００１１】
請求項４の紙器は、請求項３の紙器において、前記分離惹起線に代えて、１つの被断部により、又は、２つの被断部とその間にある１つの切れ目により形成される分離惹起線と、前記分離末端線に代えて、１つの被断部により、又は、２つの被断部とその間にある１つの切れ目により形成される分離末端線とを備えている。
【００１２】
請求項５の紙器は、請求項３又は４の紙器において、前記分離惹起線の前記切れ目は、前記分離末端線の前記切れ目より長く形成されている。
【００１３】
請求項６の紙器ブランクは、請求項１から５のいずれかの紙器を組み立て形成するために用いられるものである。よって、この請求項６の紙器ブランクによれば、請求項１から５のいずれかの紙器がもたらす技術的特徴を必然的にもたらすものであり、故に、これら請求項１から５のいずれかの紙器と同様の作用及び効果をもたらすものである。
【００１４】
本発明の紙器及び紙器ブランクによれば、紙器本体の開口部は、第１壁板及び第２壁板に各々連設される内蓋板及び外蓋板が重なり合って被さることで閉塞される。このとき、開口部は、第１折れ線で第１壁板に対して折曲げられた内蓋板の外面に、第２折れ線で第２壁板に対して折曲げられた外蓋板を重畳して接合することで封止される。
【００１５】
一方、このように封止された紙器を開封するには、押込み領域部が紙器本体内へ向けて押し込まれ、この押し込み力により押込み領域部の先端稜線上にある被断部が破断され、この被断部の破断により押込み領域部が分離線に沿って第１壁板から分離される。押込み領域部が第１壁板から分離されると、この第１壁板には、押込み領域部の抜けた通穴が形成される。
【００１６】
そして、この通穴から紙器本体内へ指を挿入し、その指で内蓋板の内面側から分離領域部を紙器本体の外方へと押圧すれば、この押圧力により分離領域部の両側稜線上にある被断部が破断され、かかる被断部の破断により分離領域部が分離線に沿って内蓋板から分離される。
【００１７】
このようにして分離領域部が内蓋板から分離されると、内蓋板の外面に重畳接合された外蓋板が分離領域部と一緒に内蓋板から捲り取られて、内蓋板及び外蓋板により封止されていた紙器が開封される。
【００１８】
ここで、押込み領域部及び分離領域部の分離線は、個々の被断部が破断されることで、元々個々に独立していた各切れ目線が、互いに繋がり合って一繋がりの長い裂け目へと成長するようになっている。
【００１９】
つまり、分離線では、この裂け目が押込み領域部の先端稜線から両側稜線、第１折れ線上の２点を経て、分離領域部の両側稜線から内蓋板の反第１折れ線側の先端縁まで進展して達することで、押込み領域部を第１壁板から及び分離領域部を内蓋板からそれぞれ分かつようになっている。
【００２０】
特に、この分離線に備わる２本の分離促進切れ目は、押込み領域部の先端稜線上にある始点から、その押込み領域部の両側稜線に沿って延設され、第１折れ線上の２点を越えて更に分離領域部の両側稜線の途中にある終点まで達するものである。このため、押込み領域部の先端稜線上にある被断部が全て破断されれば、複数の切れ目が一繋がりとなった裂け目が、第１折れ線上の２点を超えて分離領域部の両側稜線の途中まで一気に達する格好となる。
【００２１】
したがって、押込み領域部を押し込む力が小さくても、押込み領域部の先端稜線上にある被断部を破断できさえすれば、分離線における裂け目は、第１折れ線近傍で中断されることなく、押込み領域部側から第１折れ線を越えて分離領域部側までスムーズかつ一気に進展されるのである。
【００２２】
しかも、２本の分離促進線は、第１壁板及び内蓋板が第１折れ線で折曲することで生じる角部に跨った切れ目であるので、その裂け目の進展が、第１折れ線近傍の角部で妨げられることなく、押込み領域側から分離領域部側に伝播することができる。よって、分離領域部を内蓋板から分離させる場合に要する押圧力を軽減でき、分離領域部を容易に分離できる。
【００２３】
請求項２の紙器によれば、２本の分離促進切れ目の始点が押込み領域部の先端稜線上にあり、かつ、押込み領域部の先端稜線の両端より内方に位置する２点に各々達している。このため、２本の分離促進切れ目の各始点間に、押込み領域部の被断部が存在し、結果、押込み領域部に係る分離線の被断部が局所的に偏在するようになっている。したがって、押込み領域部を押し込む力が、かかる被断部の偏在箇所に集中するので、結果、効率よく押込み領域部に係る分離線の被断部を破断させて、押込み領域部を第１壁板から分離させることができる。
【００２４】
しかも、２本の分離促進切れ目の始点が押込み領域部の先端稜線の線上にあり、かつ、その先端稜線の両端より内方に位置する２点に各々達しており、既に、押込み領域部における先端稜線と両側稜線との繋ぎ目（連結部分）に切れ目が入っている。よって、分離線の破断が押込み領域部の先端稜線から両側稜線へと伝播する場合に、当該先端稜線と両側稜線との繋ぎ目で途切れることもなく、分離線の裂け目をスムーズに進展させることができる。
【００２５】
請求項３の紙器によれば、分離線は、その２本の分離促進切れ目を除けば、分離惹起線及び分離末端線が、複数の切れ目を破線状に配設したミシン目で形成される。このため、２本の分離促進切れ目が押込み領域部の先端稜線上から分離領域部の両側稜線まで達する比較的長い切れ目であっても、分離惹起線及び分離末端線に存在する細かな被断部の存在により、非開封状態における紙器の分離線周辺の剛性強度の低下を防止することができる。
【００２６】
請求項４の紙器によれば、分離惹起線若しくは分離末端線又はこれらの双方は、１つの被断部により形成されるか、又は、２つの被断部とその間にある１つの切れ目により形成されるので、その被断部の数が少なくなるので、押込み領域部の被断部を破断させるために必要な押し込む力を小さくすることができる。
【００２７】
請求項５の紙器によれば、分離惹起線の切れ目は、分離末端線の切れ目より長く形成されているので、分離惹起線の被断部の間隔が大きくなっているので、分離惹起線の方が分離末端線に比べて分離され易く、分離線の裂け目が進展し易くなっている。一方、分離末端線は、その切れ目が分離惹起線のものより短くて破断され難くなっているので、紙器の捩れ等により分離惹起線が容易に破断してしまうことが防止される。
【発明の効果】
【００２８】
本発明の紙器及び紙器ブランクによれば、その紙器の開封時に破断される分離線には、２本の分離促進切れ目が、押込み領域部の先端稜線上にある始点から、その押込み領域部の両側稜線に沿って延設され、第１折れ線上の２点を越えて更に分離領域部の両側稜線の途中にある終点まで設けられている。このため、押込み領域部の先端稜線上にある被断部が全て破断されれば、その時点で、分離線の裂け目を、第１折れ線上の２点を超えて、分離領域部の両側稜線の途中まで一気に到達させることができる。したがって、押込み領域部及び分離領域部が分離線に沿って分離される場合に、その分離線の被断部の破断を、押込み領域部側から紙器の角部を越えて分離領域部側までスムーズに進展させて、紙器を容易に開封できるという効果がある。
【図面の簡単な説明】
【００２９】
【図１】本発明の一実施例である紙器を組み立てるために用いられる紙器ブランクの展開図である。
【図２】（ａ）は、図１のＡ部分の拡大図であって、紙器ブランクから分離線を仮想的に除去することで、分離片の輪郭線を図示したものであり、（ｂ）は、図１のＡ部分の拡大図であって分離線及びそれにより象られる分離片を拡大視したものである。
【図３】紙器ブランクを用いて組み立てられた紙器の底面側斜視図であって、当該紙器の底面板側を上向きにして斜視したものである。
【図４】図３に示す状態の紙器について、その一方の開口部を開放した状態を図示した斜視図であり、当該紙器の上面板側を上向きにして斜視したものである。
【図５】第２実施例の紙器ブランクの展開図である。
【図６】（ａ）は、図５のＡ部分の拡大図であって、紙器ブランクから分離線を仮想的に除去することで、分離片の輪郭線を図示したものであり、（ｂ）は、図５のＡ部分の拡大図であって分離線及びそれにより象られる分離片を拡大視したものである。
【発明を実施するための形態】
【００３０】
以下、添付図面を参照して、本発明の好ましい実施例について説明する。図１は、本発明の一実施例である紙器５０（図３参照。）を組み立てるために用いられる紙器ブランク１の展開図であり、図中では、紙器ブランク１に設けられる全ての折目線Ｌを１点鎖線で図示している（以下同じ。）。
【００３１】
図１に示すように、紙器ブランク１は、紙器５０を展開したものであり、これを組み立てることによって六面体箱状の紙器５０（図３参照）となるものである。この紙器５０となる紙器ブランク１は、１枚の高剛性積層紙材を素材として用いている。
【００３２】
この紙器ブランク１の素材となる高剛性積層紙材は、段ボール原紙、白板紙、チップボール、黄ボールその他の高剛性の多層抄きの板紙である。なお、高剛性積層紙材には、例えば、坪量が１６０グラム平方メートル〜２７００グラム平方メートルの程度のものを使用しても良い。
【００３３】
この紙器ブランク１は、上面板２と、底面板３と、一対の側壁板４，４と、一対の外蓋板５，５と、一対の内蓋板６，６と、糊代板７と、４枚の差込板８，８，・・・とを備えており、これらの各板２〜８のうち、各内蓋板６、糊代板７及び各差込板８が台形状に形成され、その残りの板２〜５が長方形状に形成されている。また、紙器ブランク１の各板２〜８は、その隣接するもの同士が折目線（折目部）Ｌを介して折り曲げ可能に連設されている。
【００３４】
具体的には、上面板２の２つの短辺（図１上下両側）には、２枚ある長方形状の外蓋板５，５が１枚ずつ折目線Ｌを介して折り曲げ可能かつ開閉自在にそれぞれ連設されており、上面板２の２つの長辺（図１左右両側）には、２枚ある長方形状の側壁板４，４が１枚ずつ折目線Ｌを介して折り曲げ可能にそれぞれ連設されている。
【００３５】
ここで、上面板２と各外蓋板５，５とを連設する各折目線Ｌについては、以下、「外蓋折目線Ｌａ」というものとする。また、一対の側壁板４，４の長手方向両端（図１上下両側）にある各短辺には、それぞれ差込板８が１枚ずつ折目線Ｌを介して折り曲げ可能に連設されている。
【００３６】
また、底面板３の２つの短辺（図１上下両側）には、２枚ある台形状の内蓋板６，６が１枚ずつ折目線Ｌを介して折り曲げ可能かつ開閉自在にそれぞれ連設されている。また、底面板３の一方の長辺（図１左側）には、上面板２右側の長辺に連設される側壁板４が折目線Ｌを介して折り曲げ可能に連設され、底面板３の他方の長辺（図１右側）には、糊代板７が折目線Ｌを介して折り曲げ可能に連設されている。なお、以下、底面板３と各内蓋板６とを連設する各折目線Ｌを、以下「内蓋折目線Ｌｂ」という。
【００３７】
このように、紙器ブランク１には、底面板３と内蓋板６，６との連設部分が２箇所存在しており、その連設部分のいずれにも、底面板３及び内蓋板６，６に跨って形成される分離線１０と、この分離線１０を介して後述するように紙器５０の開封時に紙器ブランク１から分離される分離片２０とが設けられている。
【００３８】
なお、紙器ブランク１にある２つの分離線１０は、底面板３の中心（重心）に対して点対称な形態となっており、紙器ブランク１に２箇所にある分離片２０も、底面板３の中心（重心）に対して点対称な形態となっている。
【００３９】
ここで、分離片２０は、分離線１０を介して底面板３から分離可能な押込み領域部２１と、分離線１０を介して内蓋板６から分離可能な分離領域部２２とを備えており、かかる押込み領域部２１及び分離領域部２２が内蓋折目線Ｌｂを介して相互に連設されている。
【００４０】
押込み領域部２１は、内蓋板６に隣接した底面板３の一部であって、底面板３の短辺方向（図１左右方向）における中央位置に設けられており、指先で押圧可能な程度の面積を有した舌片状に形成されている。分離領域部２２は、押込み領域部２１に隣接した内蓋板６の一部であって、当該内蓋板６の長辺方向（図１左右方向）における中央位置に設けられており、平面視台形状に形成されている。
【００４１】
次に、図２を参照して、分離線１０及び分離片２０の詳細について説明する。図２（ａ）は、図１のＡ部分の拡大図であって、紙器ブランク１から分離線１０を仮想的に除去することで、分離片２０（押込み領域部２１及び分離領域部２２）の輪郭線を図示したものであり、図２（ｂ）は、図１のＡ部分の拡大図であって分離線１０及びそれにより象られる分離片２０を拡大視したものである。
【００４２】
図２（ａ）に示すように、押込み領域部２１は、その押込み領域部２１の先端の輪郭線となる弓形状の先端稜線２１ａと、当該押込み領域部２１の幅方向両側の輪郭線となる２本の直線状の側稜線２１ｂ，２１ｂ（以下「両側稜線」ともいう。）とを備えている。
【００４３】
また、この両側稜線２１ｂ，２１ｂは、先端稜線２１ａの両端点Ｐ，Ｐから内蓋折目線Ｌｂへ向けて、当該内蓋折目線Ｌｂに対する直交方向（図１上下方向）と平行にそれぞれ延びており、いずれも内蓋折目線Ｌｂと直交している。この押込み領域部２１の両側稜線２１ｂ，２１ｂと内蓋折目線Ｌｂとの２つの交点Ｑ，Ｑは、その内蓋折目線Ｌｂの線上において互いに離間しており、かかる２つの交点Ｑ，Ｑを、以下「分離中点Ｑ，Ｑ」というものとする。
【００４４】
分離領域部２２は、その分離領域部２２の幅方向両側の輪郭線となる２本の側稜線２２ａ，２２ａ（以下「両側稜線」ともいう。）を備えており、これらの両側稜線２２ａ，２２ａは分離中点Ｑ，Ｑから内蓋板６の先端縁６ａへ向けて平面視ハの字状に延設され、その内蓋板６の先端縁６ａの辺上において互いに離間する２つの点Ｒ，Ｒ（以下「分離終点Ｒ，Ｒ」という。）にまで達している（図１参照）。
【００４５】
図２（ｂ）に示すように、分離線１０は、主に、２本の分離促進線１１，１１と、１本の分離惹起線１２と、２本の分離末端線１３，１３とを備えている。この分離線１０は、上記した分離片２０の輪郭線に含まれる各線、即ち、押込み領域部２１の先端稜線２１ａ及び両側稜線２１ｂ，２１ｂ並びに分離領域部２２の両側稜線２２ａ，２２ａの線上に、これらの各線２１ａ，２１ｂ，２２ａに沿って設けられている。また、分離線１０は、複数の切れ目Ｃｔと複数の被断部Ｓｈとを備えており、これらの切れ目Ｃｔ及び被断部Ｓｈが交互に複数配設されることで構成されている。
【００４６】
ここで、分離線１０は、その各切れ目Ｃｔがいずれも紙器ブランク１の紙厚方向に貫通形成されており、その各被断部Ｓｈがいずれも紙器ブランク１の紙厚方向に非貫通とされている。特に、この分離線１０における複数の切れ目Ｃｔの中には、上記した２本の分離促進線１１，１１が含まれている。この各分離促進線１１は、分離片２０の幅方向両側にそれぞれ対称に１本ずつ設けられる一繋がりの切れ目Ｃｔであり、分離線１０に存在する他の切れ目Ｃｔに比べて極端に長く形成されている。
【００４７】
また、各分離促進線１１は、その切れ目Ｃｔの始点となる切れ目始点１１ｓが押込み領域部２１の先端稜線２１ａの線上にあり、この切れ目始点１１ｓからこの押込み領域部２１の先端稜線２１ａ及び側稜線２１ｂに沿って連続して延設されて、各分離中点Ｑを越えて更に分離領域部２２の側稜線２２ａの線上の途中にある切れ目終点１１ｅまで達している。
【００４８】
ここで、各分離促進線１１の切れ目始点１１ｓは、押込み領域部２１の先端稜線２１ａの線上に存在しており、なおかつ、かかる先端稜線２１ａの両端点Ｐよりも内方（内側）に位置している。つまり、各分離促進線１１は、押込み領域部２１の先端稜線２１ａの線上であって当該先端稜線２１ａの端点Ｐよりも当該先端稜線２１ａの中央よりの位置まで達する切れ目Ｃｔとなっている。
【００４９】
また、分離促進線１１，１１の切れ目始点１１ｓ，１１ｓ同士の間には、押込み領域部２１の先端稜線２１ａに沿って分離惹起線１２が設けられている。この分離惹起線１２は、分離線１０の一部であって、分離促進線１１よりも短い２つの切れ目Ｃｔと、当該切れ目Ｃｔより更に短い３つの被断部Ｓｈとを有しており、この各被断部Ｓｈの間に切れ目Ｃｔが破線状に複数配設されたミシン目状に形成されている。
【００５０】
かかる分離惹起線１２の被断部Ｓｈは、紙器５０の開封時における押込み領域部２１の押込みの際に真っ先に破断されるべきものであり、この分離惹起線１２の全ての被断部Ｓｈが破断されることによって、分離線１０の破断（裂け目）は、内蓋折目線Ｌｂのある紙器５０の角部で中断することなく、底面板３から内蓋板６の分離領域部２２の側稜線２２ａの線上にある分離促進線１１の切れ目終点１１ｅまで一気に進展されるのである。
【００５１】
また、各分離促進線１１の切れ目終点１１ｅには、分離末端線１３の始点が接続されている。この各分離末端線１３は、各分離促進線１１の切れ目終点１１ｅから分離領域部２２の側稜線２２ａに沿って内蓋板６の先端縁６ａにある各分離終点Ｒまで設けられている。また、各分離末端線１３は、分離惹起線１２の数を超える複数の切れ目Ｃｔと複数の被断部Ｓｈとを有しており、かかる各被断部Ｓｈの間に切れ目Ｃｔが破線状に複数配設されたミシン目状に形成されている。
【００５２】
ところで、分離末端線１３は、その各切れ目Ｃｔがその各被断部Ｓｈに比べて若干長い程度のものとなっている。また、分離末端線１３の切れ目Ｃｔは分離惹起線１２の切れ目Ｃｔに比べて短く形成されており、分離末端線１３の被断部Ｓｈは分離惹起線１２の被断部Ｓｈと同程度の長さに形成されている。つまり、分離末端線１３と分離惹起線１２とでは、分離惹起線１２の方が分離末端線１３よりも切れ目Ｃｔが長く形成されているのである。
【００５３】
このため、分離末端線１３は、分離惹起線１２に比べて単位長さ当たりの切れ目Ｃｔ長さが小さくなり、結果、分離惹起線１２に比べて単位長さ当たり被断部Ｓｈ長さが長くなり、その分、分離惹起線１２に比べて剪断強度が大きくなっており、紙器５０の捩れなどに伴う不用意な破損が防止されるようになっている。
【００５４】
また、逆に、分離惹起線１２については、分離末端線１３に比べて、単位長さ当たりの被断部Ｓｈ長さが短くて、単位長さ当たりの切れ目Ｃｔ長さが大きくなる分、分離末端線１３に比べて剪断強度が小さくなっており、押込み領域部２１の押込み時に被断部Ｓｈの破断が容易になされるようになっている。
【００５５】
このように構成された分離線１０との関係に基づいて、分離片２０の押込み領域部２１及び分離領域部２２を説明するならば、押込み領域部２１は、２つの分離中点Ｑ，Ｑを通る２本の分離促進線１１，１１の一部分と、その２本の分離促進線１１，１１の切れ目始点１１ｓ，１１ｓ間に接続される分離惹起線１２と、当該２つの分離中点Ｑ，Ｑ間にある内蓋折目線Ｌｂの一部分とにより、囲まれた部位と言うことができる。
【００５６】
また、分離領域部２２については、２つの分離中点Ｑ，Ｑ間にある内蓋折目線Ｌｂと、その２つの分離中点Ｑ，Ｑを通って内蓋板６の反内蓋折目線Ｌｂ側にある先端縁６ａへ向けてハの字状に延設される２本の分離促進線１１，１１の残余部分と、その分離促進線１１，１１の各切れ目終点１１ｅ，１１ｅから内蓋板６の先端縁６ａへ向けてハの字状に延設される２本の分離末端線１３，１３と、この各分離末端線１３，１３が到達する２つの分離終点Ｒ，Ｒ間にある内蓋板６，６の先端縁６ａの一部分とにより、囲まれた部位と言うことができる。
【００５７】
図１に戻って説明を続けると、このように構成された分離線１０は、その機能に基づけば、押込み領域部２１を底面板３から分離するための第１の分離線１０Ａと、分離領域部２２を内蓋板６から分離するための第２の分離線１０Ｂ，１０Ｂとに分けられる。
【００５８】
そして、ここで言う、第１の分離線１０Ａこそが、押込み領域部２１の先端稜線２１ａ及び両側稜線２１ｂ，２１ｂに沿って２つの分離中点Ｑ，Ｑを結んだ部分に相当し、第２の分離線１０Ｂ，１０Ｂこそが、分離領域部２２の両側稜線２２ａ，２２ａに沿って設けられる部分に相当している。
【００５９】
また、第２の分離線１０Ｂ，１０Ｂは、各分離中点Ｑ，Ｑから各分離終点Ｒ，Ｒまで非交差状態で互いに間隔を空けて延びる２本の直線状のものであり、その間隔が分離中点Ｑ，Ｑから分離終点Ｒ，Ｒに至るまでハの字状に漸増されている。
【００６０】
このため、当該第２の分離線１０Ｂ，１０Ｂよれば、分離領域部２２を内蓋板６から捲り取って開口部５２を開封する場合において、分離線が内蓋折目線Ｌｂに沿って設けられるもの、又は、分離線が各分離中点Ｑ，Ｑから平行かつ一定間隔で内蓋板６の先端縁６ａまで延ばされるものに比べて、その破断抵抗が軽減される。
【００６１】
また、分離領域部２２が内蓋板６から分離されたとき（図４参照。）、内蓋板６にできる開口部５１に連通する通穴の開口サイズは、紙器５０の上面板３側に近いほど幅広になるので、紙器５０の収容空間内から内容物を取り出す際に、かかる通穴内へ手先を挿入するために必要となる通穴の横幅を十分に確保することができる。
【００６２】
また、内蓋板６は、その外面（図１紙面手前側）が外蓋板５との重畳接合面となるのであるが、上記した分離領域部２２と当該分離領域部２２を除く部分（以下「非分離領域」という。）２３，２３の双方に接着剤が塗布されることから、かかる分離領域部２２及び非分離領域２３，２３の両方に跨るように、破線状の切り込み線２４が、内蓋折目線Ｌｂと平行に複数形成されている。
【００６３】
この複数の切り込み線２４は、高剛性積層紙材の紙厚方向に非貫通な状態で接着剤の塗布面に形成される切込みである。この複数の切り込み線２４によれば、内蓋板６の内面に接着剤が塗布される場合、接着剤が各切込み線２４に入り込むことで、接着剤が内蓋板６の上から垂れ落ちることを防止できる。
【００６４】
また、紙器５０を封止する場合に、内蓋板６に接着剤を塗布してこれを外蓋板５に押圧すると、その際に接着剤が各切り込み線２４に入り込むことにより、かかる塗布範囲の過剰な拡大が抑制され、外蓋板５と内蓋板６との間外に接着剤が流れることも防止できる。
【００６５】
図３は、上記した紙器ブランク１を用いて組み立てられた紙器５０の底面側斜視図であって、当該紙器５０の底面板３側を上向きにして斜視したものである。
【００６６】
図３に示した紙器５０を、図１に示す紙器ブランク１を用いて組み立てるには、まず、図１に示した紙器ブランク１の上面板２、底面板３、側壁板４，４、糊代板７が、それらを相互に連結する各折目線Ｌに沿って折り曲げられた上で、一方の側壁板４（図１中の左側のもの）と糊代板７とが接着剤で接着されると、紙器本体５１が形成される。
【００６７】
ここで、紙器本体５１とは、上記した紙器ブランク１の各板２〜８のうち、上面板２、底面板３、側壁板４，４及び糊代板７により形作られる紙器５０の基本となる箱状体であって、上記した外蓋板５，５、内蓋板６，６及び４枚の差込板８を除いたものをいう。また、この紙器本体５１内には、上記した各板２〜４により４面が覆われた収容空間が形成されている。
【００６８】
この紙器本体５１の収容空間は、内容物を収容するための空間であり、この収容空間の残る２面が開口部５２，５２として開放される（図４参照。）。この各開口部５２は、紙器本体５１の収容空間と連通しており、図３に示すように、上記した内蓋板６、外蓋板５及び差込板８を用いて閉塞される。なお、図４では、２つある開口部５２のうち一方のみを図示ている。
【００６９】
そして、紙器本体５１の形成後、各開口部５２について、紙器ブランク１の差込板８、内蓋板６及び外蓋板５が、これらを相互に連結する各折目線Ｌ（内蓋折目線Ｌｂ及び外蓋折目線Ｌａを含む。）に沿って、この順番で紙器本体５１の内部側から重なるように折り曲げられて、それぞれ閉塞される。
【００７０】
このとき、各内蓋板６の外面に接着剤が塗布され、これらの内蓋板６の上に折り曲げられた各外蓋板５が重畳されると、各内蓋板６の外面に各外蓋板５の内面が接着（接合）されて、図３に示す紙器５０が形成されるとともに、各開口部５２が閉塞及び封止される。
【００７１】
図３に示すように、上記した紙器ブランク１を用いた紙器５０は六面体に形成されており、この紙器５０の底面板３には、所定の刻印９が各押込み領域部２１の近傍にそれぞれ１つずつ凹設されている。この２つの刻印９，９は、「ＯＰＥＮ」という文字列を表わしたものであり、紙器５０の開封時に押込み領域部２１を押し込みを指示する標示である。紙器５０（紙器ブランク１）が高剛性積層紙材で形成されるので、例えば、プレス加工により紙表面を塑性的に凹ませることで印刷によらずに必要な標示が施されるのである。
【００７２】
図４は、図３に示す状態の紙器５０について、その一方の開口部５２を開放した状態を図示した斜視図であり、当該紙器５０の上面板３側を上向きにして斜視したものである。
【００７３】
図４に示すように、紙器本体５１の長手方向両端部には、上記した収容空間と連通する開口部５２が形成されている。この開口部５２は、紙器５０内に収容される内容物を納め入れかつ取り出すためのものであり、上面板２、底面板３及び一対の側壁板４，４により囲まれた正面視長方形状に開放されている。また、この開口部５２を挟んで、紙器本体５１を成す底面板３及び上面板２が互いに対向する格好となっている。
【００７４】
各開口部５２は、上記したように２枚の差込板８、内蓋板６及び外蓋板５が順番に重なり合って被さることで閉塞されるものであり、内蓋板６，６の外面に接着剤が塗布されその内蓋板６へ向けて折曲げられた外蓋板５を重畳して接着（接合）することで封止されるようになっている。
【００７５】
次に、図４に示す紙器５０の開封方法について説明する。まず、紙器５０の押込み領域部２１が紙器本体５１内へ向けて押し込まれることで、分離線１０の分離惹起線１２の各被断部Ｓｈが破断され、この分離惹起線１２の全ての被断部Ｓｈが破断されると、押込み領域部２１が分離線１０に沿って底面板３から分離されるとともに、分離線１０の破断が分離促進線１１，１１の切れ目終点１１ｅ，１１ｅまで一気に進展する（図２（ｂ）参照。）。
【００７６】
このように押込み領域部２１が底面板３から分離されることで、底面板３には押込み領域部２１の抜けた通穴が形成される。そして、この通穴から紙器本体５１内へ指を挿入し、その指で内蓋板６の内面側から分離領域部２２を紙器本体５１の外方へ押圧すると、既に、分離線１０の破断が分離促進線１１，１１の切れ目終点１１ｅ，１１ｅまで進展していることから、この後は、各分離末端線１３，１３の被断部Ｓｈが順次破断されて、分離領域部２２が分離線１０に沿って内蓋板６，６から分離されていく（図１参照。）。
【００７７】
そして、分離領域部２２の両側稜線２２ａ，２２ａに沿って各分離末端線１３，１３の被断部Ｓｈが全て破断されると、分離領域部２２が内蓋板６から完全に分離される。すると、図４に示すように、分離領域部２２が、外蓋板５の内面に重畳接合さた状態のまま外蓋板５と一緒に内蓋板６から捲り取られて、内蓋板６及び外蓋板５により閉塞封止されていた紙器５０の開口部５２が開封されるのである。
【００７８】
しかも、内蓋板６の外面には、破線状の切り込み線２４が複数刻設されていることから、内蓋板６の素材となっている高剛性積層紙材の表層部分が剥離され易くなっている。このため、紙器５０を開封する場合に、分離片２０が底面板３及び内蓋板６から分離されるとき、分離領域部２２と一緒に内蓋板６，６の非分離領域２３，２３の表層部分２３ａ，２３ａを剥離させることができる。したがって、一度開封された紙器５０に開封証拠を残すことができるのである。
【００７９】
次に、図５及び図６を参照して、上記実施例の変形例について説明する。図５は、第２実施例の紙器ブランク１００の展開図であり、図６（ａ）は、図５のＡ部分の拡大図であって、紙器ブランク１００から分離線１０を仮想的に除去することで、分離片２０（押込み領域部２１及び分離領域部２２）の輪郭線を図示したものであり、図６（ｂ）は、図５のＡ部分の拡大図であって分離線１０及びそれにより象られる分離片２０を拡大視したものである。
【００８０】
第２実施例の紙器ブランク１００は、上記した第１実施例の紙器ブランク１に対して、分離線の分離惹起線及び２本の分離促進線の経路を変更して、分離片の押込み領域部の形態を変更したものである。以下、第１実施例と同一の部分には同一の符号を付して、その説明を省略し、異なる部分のみを説明する。
【００８１】
図５及び図６に示すように、第２実施例の紙器ブランク１００では、押込み領域部２１の先端稜線２１ａの片側半分（図６（ａ）左側）が湾出して左右非対称な形態となっているので、この先端稜線２１ａに沿って設けられる分離惹起線１２も同様に片側半分（図６（ｂ）左側）が湾出した左右非対称な曲線状となっている。
【００８２】
このため、図６（ｂ）に示すように、分離惹起線１２の被断部Ｓｈは、押込み領域部２１の先端稜線２１ａの線上の片側半分に偏在した格好となっており、これによって押込み領域部２１が紙器５０内へ押込まれた場合に、分離惹起線１２の一部分に局所的に力が集中して、分離惹起線１２の被断部Ｓｈが容易に破断されるようになっている。
【００８３】
以上、実施例に基づき本発明を説明したが、本発明は上記実施例に何ら限定されるものではなく、本発明の趣旨を逸脱しない範囲内で種々の改良変形が可能であることは容易に推察できるものである。
【００８４】
例えば、上記実施例では、分離促進線１１の切れ目始点１１ｓが、押込み領域部２１の先端稜線２１ａの線上であって当該先端稜線２１ａの端点Ｐより内側に位置したが、かかる各分離促進線１１の切れ目始点１１ｓの位置は、必ずしもこれに限定されるものではなく、例えば、押込み領域部２１の先端稜線２１ａの端点Ｐと一致させても良い。
【００８５】
また、上記実施例では、紙器ブランク１，１００が１枚の高剛性積層紙材により形成されていたが、紙器ブランクに使用する高剛性積層紙材の枚数は必ずしも１枚に限定されるものではなく、複数枚の高剛性積層紙材を用いて紙器ブランクを形成するようにしても良い。さらに、上記実施例では、紙器５０の形態を六面体として説明したが、かかる紙器の形態は必ずしもこれに限定されるものではなく、例えば、五面体、七面体その他の多面体を紙器の形態として採用しても良い。
【００８６】
また、上記実施例では、紙器５０の内蓋板６及び外蓋板５を封止する場合に、内蓋板６の分離領域部２２の外面及び非分離領域２３，２３の外面の双方に接着剤を塗布して外蓋板５を重畳接着したが、かかる重畳接着の形態は必ずしもこれに限定されるものではなく、例えば、接着剤の塗布箇所を内蓋板６の分離領域部２２の外面にのみにしたり、或いは、外蓋板５の内面と内蓋板６の分離領域部２２の外面との接着力（接合強度）に比べて、外蓋板５の内面と内蓋板６の非分離領域２３，２３の外面との接着力を相対的に弱めるようにしても良い。
【００８７】
また、上記実施例では、分離片２０の押込み領域部２１の先端稜線２１ａを、左右対称な弓形状（図２参照。）又は片側に湾出した左右非対称な曲線状（図６（ｂ）参照。）としたが、かかる押込み領域部の先端稜線の形態、及び、分離線の分離惹起線の形態は必ずしもこれらに限定されるものではなく、例えば、山形状その他の折れ線状、直線状、円弧状、楕円弧状などであっても良い。即ち、少なくとも押込み領域部２１の平面形状が指先で押圧できる面積を有するものであれば良い。
【００８８】
また、上記実施例では、分離線１０における押込み領域部２１の両側稜線２１ｂ，２１ｂ及び分離領域部２２の両側稜線２２ａ，２２ａに沿った部分が、直線状（図１及び図５参照。）であるものとして説明したが、これらの形態は必ずしもこれに限定されることなく、例えば、曲線状や折れ線等であっても良い。
【００８９】
また、上記実施例では、分離惹起線１２が３つの被断部Ｓｈと当該各被断部Ｓｈ間に１つずつ合計２つ設けられる切れ目Ｃｔとを有したミシン目状である場合について説明したが、分離惹起線の形態は、必ずしもこのようなミシン目状に限定されるものではない。
【００９０】
例えば、各分離促進線の切れ目始点間に１つの被断部のみを設けたものや、各分離促進線の切れ目始点間に２つの被断部を設けて当該被断部間に１つの切れ目を設けたものなどのように、ミシン目状とは到底言えないものを含んでも良く、又は、各分離促進線の切れ目始点間に４つ以上の被断部を設けて当該被断部間に１つずつ設けられる複数の切れ目を設けても良い。
【００９１】
また、上記実施例では、各分離末端線１３が複数の被断部Ｓｈと当該各被断部Ｓｈ間に１つずつ設けられる複数の切れ目Ｃｔとを有したミシン目状である場合について説明したが、分離末端線の形態は、必ずしもこのようなミシン目状に限定されるものではない。
【００９２】
例えば、分離促進線の切れ目終点と分離終点との間において、被断部を１つのみ設けてこれを分離末端線としたり、又は、２つの被断部を設けて当該被断部間に１つの切れ目を設けてこれを分離末端線とするなど、ミシン目状とは到底言えないものを含んでも良い。
【００９３】
以下に、本発明の変形例である第１から４変形例の紙器について示す。
【００９４】
第１変形例の紙器は、請求項１から５のいずれかの紙器において、高剛性の多層抄き板紙で形成されているので、分離線の一部に２本の分離促進切れ目のような長い切れ目を設けても、紙器自体の剛性強度を十分に確保することができる。また、紙器を多層抄き板紙で形成した場合、この多層抄き板紙内部の各積層紙同士の接合力に比べて、内蓋板と外蓋板とを重畳接合する接合力が強ければ、内蓋板の表層部分にある積層紙が剥離しやすくなる。
【００９５】
そこで、内蓋板と外蓋板との重畳接合力を、接合剤の接合強度を高めるなどすることで紙器素材となる多層抄き板紙内の各積層紙同士の接合力より大きくした場合、分離領域部が内蓋板から分離されるときに、内蓋板の非分離領域部の表面層分が外蓋板に接合されたまま剥離され、この剥離に伴って、分離領域部の両側稜線上にある分離線の厚紙も薄くなるので、小さい力でも分離領域部の両側稜線上にある分離線を破断させることができるようになる。
【００９６】
第２変形例の紙器は、請求項１から６のいずれか又は第１変形例の紙器において、前記分離線は、前記分離領域部の両側稜線に沿って設けられる部分の間隔が、前記第１折れ線上の前記２点から前記内蓋板の反第１折れ線側の先端縁へ向けて漸増されている。
【００９７】
第３変形例の紙器は、請求項１から６のいずれか又は第１若しくは第２変形例の紙器において、前記内蓋板は、前記分離領域部のみが前記外蓋板と接合されている。よって、使用する接合剤の量を減少させることができる。また、外蓋板が内蓋板の非分離領域部と接合されないので、外蓋板と内蓋板の非分離領域部との接合を引き剥がす必要がない。したがって、小さな力でも分離領域部を内蓋板から分離させて紙器を開封できる。
【００９８】
第４変形例の紙器は、請求項１から６のいずれか又は第１から第３変形例の紙器において、前記内蓋板は、その内蓋板における前記分離領域部及びそれを除く部分（非分離領域部ともいう。）の双方が前記外蓋板と重畳接合されており、その分離領域部と前記外蓋板との接合強度は、当該分離領域部を除く部分と前記外蓋板との接合強度より大きくされている。よって、内蓋板の非分離領域部と外蓋板との接合力が強すぎることで、かえって分離領域部の内蓋板からの分離が阻害される事態を回避できる。
【符号の説明】
【００９９】
１，１００            紙器ブランク
２                    上面板（第２壁板）
３                    底面板（第１壁板）
４，４                側壁板
５，５                外蓋板
６，６                内蓋板
６ａ                  内蓋板の先端縁（内蓋板の反第１折れ線側の先端縁）
１０                  分離線
１０Ａ                第１の分離線（押込み領域部を第１壁板から分離する分離線）
１０Ｂ                第２の分離線（分離領域部を第２壁板から分離する分離線）
１１，１１            分離促進線（分離促進切れ目）
１１ｓ                切れ目始点（分離促進切れ目の始点）
１１ｅ                切れ目終点（分離促進切れ目の終点）
１２                  分離惹起線
１３，１３            分離末端線
２１                  押込み領域部
２１ａ                先端稜線（押込み領域部の先端稜線）
２１ｂ，２１ｂ        側稜線（押込み領域部の両側稜線）
２２                  分離領域部
２２ａ，２２ａ        側稜線（分離領域部の両側稜線）
２３                  非分離領域部（内蓋板の分離領域部を除く部分）
２３ａ                非分離領域部の表層部分
５０                  紙器
５１                  紙器本体
５２                  開口部
Ｌａ                  外蓋折目線（第２折れ線）
Ｌｂ                  内蓋折目線（第１折れ線）
Ｃｔ                  切れ目
Ｓｈ                  被断部
Ｐ，Ｐ                先端稜線の端点（押込み領域部の先端稜線の両端）
Ｑ，Ｑ                分離中点（第１折れ線上の離間した２点）
Ｒ，Ｒ                分離終点（分離線と内蓋板の反第１折れ線側の先端縁との交点）
【図１】
0005571965.tif 000002
【図２】
0005571965.tif 000003
【図３】
0005571965.tif 000004
【図４】
0005571965.tif 000005
【図５】
0005571965.tif 000006
【図６】
0005571965.tif 000007